(57)【要約】【課題】複数の記録媒体に対して動画を記録する場合であっても、動画データの管理を容易にする。【解決手段】入力された動画データをメモリに記憶する入力手段と、前記メモリから動画データを読み出し、読み出した前記動画データを第一の記録媒体と第二の記録媒体のうち、記録先として選択された記録媒体に記録する記録手段と、前記メモリに所定時間分の動画データを繰り返し記憶し、記録開始の指示に応じて前記記録開始の指示の所定時間前に入力された動画データを前記メモリから読みだして記録を行う所定の記録モードにおいて、前記所定時間分の動画データの容量が前記第一の記録媒体の空き容量よりも大きい場合に、前記第二の記録媒体を記録先として選択する制御手段とを備える。【選択図】図１
2016015653.tif 000002
【特許請求の範囲】
【請求項１】
入力された動画データをメモリに記憶する入力手段と、
前記メモリから動画データを読み出し、読み出した前記動画データを第一の記録媒体と第二の記録媒体のうち、記録先として選択された記録媒体に記録する記録手段と、
前記メモリに所定時間分の動画データを繰り返し記憶し、記録開始の指示に応じて前記記録開始の指示の所定時間前に入力された動画データを前記メモリから読みだして記録を行う所定の記録モードにおいて、前記所定時間分の動画データの容量が前記第一の記録媒体の空き容量よりも大きい場合に、前記第二の記録媒体を記録先として選択する制御手段と、
を備えることを特徴とする記録装置。
【発明の詳細な説明】
【技術分野】
【０００１】
本発明は、記録装置に関し、特に、複数の記録媒体に動画を記録する装置に関する。
【背景技術】
【０００２】
従来、記録を開始した時点より一定時間前からの映像と音声を記録する装置が提案されている（特許文献１）。また、動画の記録中に記録媒体の記録容量が少なくなった場合、他の記録媒体に切り替えて記録を継続する機能も提案されている。
【先行技術文献】
【特許文献】
【０００３】
【特許文献１】特開２０００−０１１５４１号公報
【発明の概要】
【発明が解決しようとする課題】
【０００４】
しかしながら、前述の様に、複数の記録媒体に対して一連の動画を跨がって記録した場合、記録した動画像データの管理がしづらいという問題点がある。
【０００５】
本発明はこのような問題を解決し、複数の記録媒体に対して動画を記録する場合であっても、動画データの管理を容易にすることを目的とする。
【課題を解決するための手段】
【０００６】
本発明に係る記録装置の構成は、入力された動画データをメモリに記憶する入力手段と、前記メモリから動画データを読み出し、読み出した前記動画データを第一の記録媒体と第二の記録媒体のうち、記録先として選択された記録媒体に記録する記録手段と、前記メモリに所定時間分の動画データを繰り返し記憶し、記録開始の指示に応じて前記記録開始の指示の所定時間前に入力された動画データを前記メモリから読みだして記録を行う所定の記録モードにおいて、前記所定時間分の動画データの容量が前記第一の記録媒体の空き容量よりも大きい場合に、前記第二の記録媒体を記録先として選択する制御手段とを備えることを特徴とする。
【発明の効果】
【０００７】
本発明によれば、複数の記録媒体に対して動画を記録する場合であっても、動画データの管理を容易にすることが可能になる。
【図面の簡単な説明】
【０００８】
【図１】記録装置の構成を示すブロック図である。
【図２】記録処理を示すフローチャートである。
【図３】表示画面の例を示す図である。
【図４】記録媒体の領域を示す図である。
【図５】記録装置の構成を示すブロック図である。
【図６】記録処理を示すフローチャートである。
【図７】表示画面の例を示す図である。
【発明を実施するための形態】
【０００９】
以下、本発明を実施するための形態を図面に基づいて説明する。
【００１０】
＜第１の実施形態＞
まずは記録動作について説明する。記録装置１００はジョグダイヤル、ダイヤルスイッチ等の入力部１０７を備えており、入力部１０７を介してユーザーが行うさまざまな入力操作を受け付けることが可能である。システム制御部１０１は、ＣＰＵやＲＯＭ、ＲＡＭを含み、ＲＡＭを作業エリアとしてＲＯＭに格納された制御プログラムを実行して各種制御を行う。
【００１１】
撮像部１０２は、フォーカスレンズやズームレンズ、絞り、シャッターなどの光学部を含む構成からなり、外部から入る光学像に対して適切な光学処理を行い、撮像素子部１０３に送る。撮像素子部１０３は、光学部１０２により光学処理された光学像を電気信号に変換する処理を行い、変換された電気信号は撮像信号制御部１０４に送られる。撮像素子部１０３は、ＣＣＤやＣＭＯＳなどの撮像素子で構成される。
【００１２】
撮像信号制御部１０４は、撮像素子部１０３から得られた電気信号に対してＡ／Ｄ変換処理や増幅処理などの画像処理を施し、映像信号を生成する。そして、その映像信号を動画像制御部１１０と表示制御部１１７に送る。動画像制御部１１０は、映像信号の圧縮（エンコード）や伸張（デコード）する機能を備えており、撮像信号制御部１０４から動画信号が送られてきた場合、動画信号を圧縮（エンコード）し、動画像一時記憶部１１１に書き込む。そして、動画像一時記憶部（メモリ）１１１から圧縮（エンコード）された動画像データを読み出して記録媒体制御部１１２に送る。
【００１３】
入力制御部１１５から記録開始または記録停止の指示を受けた場合、撮像信号制御部１０４から送られてくる動画信号を動画像一時記憶部１１１を介して第一の記録媒体制御部１１３または第二の記録媒体制御部１１４に送る。
【００１４】
同様に一時記録開始の指示を受けた場合、撮像信号制御部１０４から送られてくる動画信号を、動画像一時記憶部１１１からの読み出しは行わずに書き込みのみを行う。入力制御部１１５から指示された閾値容量を越えない範囲で動画像一時記憶部１１１に書き込みを行い、設定された閾値容量を越えた場合は古いデータから上書きされていく。そして、一時記録実行中に入力制御部１１５から記録開始の指示を受けた時に、動画像一時記憶部１１１に蓄積されている動画像データを読み出し、第一の記録媒体制御部１１３または第二の記録媒体制御部１１４に送る。ここで、閾値容量とは、動画像の記録フォーマットと一時記録時間と最小記録単位とを加味した値である。また、ＭＰＥＧ２等の動画像形式の場合、最小記録単位とはＧＯＰのことである。
【００１５】
動画像一時記憶部１１１は、動画像制御部１１０からＭＰＥＧ２等の形式に基づいた動画像データとして一時的に記憶することが可能であり、動画像制御部１１０から受けた指示により動画像の書き込みや読み出しを行う。動画像一時記憶部１１１は、ＤＲＡＭなどの半導体記憶素子で構成される。
【００１６】
記録媒体制御部１１２は、入力制御部１１５から送られてきた指示により第一の動画像記録媒体１０５または第二の動画像記録媒体１０６の記録媒体のどちらかを記録先として選択する。そして、第一の記録媒体制御部１１３または第二の記録媒体制御部１１４に対して記録媒体情報の読み出しの指示を送る。入力制御部１１５から指示がない場合も少なくともいずれかの記録媒体が選択されている。
【００１７】
また、記録媒体制御部１１２は、入力制御部１１５から一時記録開始の指示を送られてきた場合、選択している記録媒体の記録可能容量と入力制御部１１５から指示された閾値容量とを比較する。そして、記録媒体の記録可能容量が閾値容量よりも少ない場合、現在選択されていない記録媒体に切り替えるよう第一の記録媒体制御部１１３または第二の記録媒体制御部１１４に指示を送る。
【００１８】
切り替えられる記録媒体が存在しない場合は表示用データ制御部１１６に指示を送る。また、第一の記録媒体制御部１１３または第二の記録媒体制御部１１４から送られてきた第一の動画像記録媒体１０５または第二の動画像記録媒体１０６の情報は必要に応じて表示用データ制御部１１６に指示を送る。
【００１９】
第一の記録媒体制御部１１３は、動画像制御部１１０からの指示により動画像データを第一の動画像記録媒体１０５に書き込む。また、記録媒体制御部１１２からの指示により第一の動画像記録媒体１０５の記録可能容量などの記録媒体情報を取得し、記録媒体制御部１１２に送る。第二の記録媒体制御部１１４は、記録媒体制御部１１２からの指示により動画像データを第二の動画像記録媒体１０６に書き込む。また、記録媒体制御部１１２からの指示により第二の動画像記録媒体１０６の記録可能容量などの記録媒体情報を取得し、記録媒体制御部１１２に送る。
【００２０】
入力制御部１１５は、入力部１０７を介して受け取った入力操作を適切な処理制御部に伝える処理を行う。入力制御部１１５から動画像制御部１１０に指示を送ることで記録開始や記録停止、一時記録開始の指示や一時記録実行時に動画像一時記憶部１１１で使用するデータ量の範囲である閾値容量を送ることができる。また、入力制御部１１５から表示用データ制御部１１６に指示を送ることで表示用データ記憶部１０８から所望の表示用データを選択することができる。さらに、入力制御部１１５から記録媒体制御部１１２に指示を送ることで記録媒体の選択や選択されている記録媒体の情報を取得することができる。
【００２１】
表示用データ制御部１１６は、入力制御部１１５より受けた指示により表示用データを表示用データ記憶部１０８から読み出すことを可能にし、読み出した表示用データを表示制御部１１７に送る。表示用データ記憶部１０８は、表示用データを格納しており、表示用データ制御部１１６から受けた指示により表示用データが読み出される。表示制御部１１７は、表示用データ制御部１１６から送られる表示用データと撮像信号制御部１０４から送られる映像信号を合成し、表示できる形式に変換し、表示部１０９に送る。表示部１０９は、表示制御部１１７から送られる表示形式に変換されたデータを表示する。表示部１０９は、液晶表示装置を含む。
【００２２】
次に再生時の動作について説明する。すでに記録時の動作と重複する説明は省略する。入力制御部１１５は、動画像制御部１１０に指示を送ることで第一の動画像記憶媒体１０５または第二の動画像記憶媒体１０６から所望の動画像データを選択することができる。動画像制御部１１０は、入力制御部１１５により送られる指示により第一の記録媒体制御部１１３または第二の記録媒体制御部１１４に対して所望の動画像データを取得するように指示を送る。そして、第一の記録媒体制御部１１３または第二の記録媒体制御部１１４から動画像データが送られてくると動画像一時記憶部１１１を介して、伸張を行い、表示制御部１１７に送る。
【００２３】
第一の記録媒体制御部１１３は、動画像制御部１１０からの指示により動画像データを第一の動画像記録媒体１０５から読み出す。第二の記録媒体制御部１１４は、動画像制御部１１０からの指示により動画像データを第二の動画像記録媒体１０６から読み出す。
【００２４】
表示制御部１１７は、表示用データ制御部１１６から送られる表示用データと動画像制御部１１０から送られる伸張された映像信号を合成し、表示できる形式に変換し、表示部１０９に送る。
【００２５】
記録装置１００の一時記録開始の指示が行われ、記録媒体の記録可能容量により必要に応じて記録媒体の切り替えを行う場合の処理について図２のフローチャートを参照して説明する。図２の処理は、記録装置１００が動画像撮影可能な状態で起動していることによって開始される。
【００２６】
ステップＳ２０１では、第一の記録媒体制御部１１３または第二の記録媒体制御部１１４で第一の動画像記録媒体１０５または第二の動画像記録媒体１０６が検出されているかを判定する。第一の動画像記録媒体１０５または第二の動画像記録媒体１０６が検出されている場合はステップＳ２０１が肯定判定され、ステップＳ２０２へ進む。押圧が検出されていない場合はステップＳ２０１が否定判定され、終了へ進む。
【００２７】
ステップＳ２０２では、記録媒体制御部１１２から送られた指示により第一の記録媒体制御部１１３または第二の記録媒体制御部１１４が第一の動画像記録媒体１０５または第二の動画像記録媒体１０６の情報を取得する。
【００２８】
ステップＳ２０３では、ステップＳ２０２で得られた第一の動画像記録媒体１０５または第二の動画像記録媒体１０６の情報により記録媒体制御部１１２が第一の動画像記録媒体１０５または第二の動画像記録媒体１０６の状態を判別する。第一の動画像記録媒体１０５または第二の動画像記録媒体１０６が記録可能な状態である場合はステップＳ２０３が肯定判定され、ステップＳ２０５へ進む。第一の動画像記録媒体１０５または第二の動画像記録媒体１０６が記録可能な状態でない場合はステップＳ２０３が否定判定され、ステップＳ２０４へ進む。
【００２９】
ステップＳ２０４では、記録媒体制御部１１２が表示用データ制御部１１６に送り、表示部１０９に警告表示を行う。図３（ａ）は、ステップＳ２０３で第一の動画像記録媒体１０５または第二の動画像記録媒体１０６が記録可能な状態でないと判別された場合に表示部１０９に警告を表示する場合の記録可能な状態でない表示画面３００の例を示している。表示画面３００には、現在の選択メディアを表す選択メディア表示部３０１、メディア記録可能時間を表示する記録可能時間表示部３０２、警告表示部３０３が表示される。警告表示部３０３には記録可能な状態でないため「記録できません」と表示することで、ユーザーは第一の動画像記録媒体１０５または第二の動画像記録媒体１０６が記録可能な状態でないことを知ることが可能となる。
【００３０】
ステップＳ２０５では、記録媒体制御部１１２により得られた第一の動画像記録媒体１０５または第二の動画像記録媒体１０６の情報表示を表示部１０９に対して行う。ステップＳ２０６では、入力部１０７からの指示により記録が開始できるように各制御部が記録待機状態になる。
【００３１】
図３（ｂ）は、ステップＳ２０３で第一の動画像記録媒体１０５または第二の動画像記録媒体１０６が記録可能な状態であると判別された場合の記録可能な状態である表示画面３０４の例を示している。表示画面３０４には、記録状態を示す記録状態表示部３０５が表示されている。第一の動画像記録媒体１０５または第二の動画像記録媒体１０６の状態をユーザーに知らせるため、記録可能時間表示部３０２には第一の動画像記録媒体１０５または第二の動画像記録媒体１０６の記録可能時間や記録状態表示部３０５には記録待機中アイコンを示している。
【００３２】
ステップＳ２０７では、入力部１０７から一時記録開始の指示があったかを判別する。一時記録開始の指示があった場合はステップＳ２０７が肯定判定され、ステップＳ２０８へ進む。一時記録開始の指示がなかった場合はステップＳ２０７が否定判定され、ステップＳ２１３へ進む。
【００３３】
図３（ｃ）は、ステップＳ２０７で一時記録開始の指示を入力部１０７によって行う場合の記録モード選択画面３０６の例を示している。記録モード選択画面３０６には、メニュー項目表示部３０７、記録モード選択部３０８、記録モード表示部３０９が表示される。ユーザーは一時記録を行う場合は記録モード表示部３０９から所望の一時記録モードを選択する。以下、図２のフローチャートでは、一時記録モード３秒が選択された場合を例に説明する。
【００３４】
ステップＳ２０８では、入力部１０７から送られた指示により動画像制御部１１０は動画像の記録フォーマットと一時記録時間の３秒と最小記録単位とに基づき、動画像一時記憶部１１１に書き込む動画像データ量の閾値を決定する。閾値は動画像の符号化圧縮率であるビットレートなどで可変する。一時記録状態の時、動画像制御部１１０は動画像一時記憶部１１１に対して所定時間分（ここでは３秒分）の動画データを繰り返し書き込む。
【００３５】
ステップＳ２０９では、記録媒体制御部１１２が動画像制御部１１０から送られる算出した動画像データ量の閾値を受け取る。ステップＳ２１０では、記録媒体制御部１１２が一時記録時に使用する動画像データ量の閾値と選択されている第一の動画像記録媒体１０５または第二の動画像記録媒体１０６の空き容量の比較を行う。動画像データ量の閾値の方が記録媒体の空き容量より大きい場合はステップＳ２１０が肯定判定され、ステップＳ２１１へ進む。動画像データ量の方が記録媒体の空き容量より小さい場合はステップＳ２１０が否定判定され、ステップＳ２１３へ進む。
【００３６】
ステップＳ２１１では、第一の動画像記録媒体１０５または第二の動画像記録媒体１０６の空き容量が、一時記録における閾値容量より大きいかどうかを判別する。いずれかの記録媒体の空き容量が閾値容量より大きい場合はステップＳ２１１が肯定判定され、ステップＳ２１２へ進む。何れの記録媒体の空き容量も閾値容量より小さい場合はステップＳ２１１が否定判定され、ステップＳ２０４へ進む。
【００３７】
ステップＳ２１２では、記録媒体制御部１１２がステップＳ２１１で現在選択されている記録媒体には収まらないと判断したため、現在選択されていない記録媒体制御部に指示を送り、記録媒体の制御を切り替える。
【００３８】
図３（ｄ）は、ステップＳ２１２で記録媒体制御部１１２が記録媒体の切り替えを行う場合の記録媒体切り替え画面３１０の例を示している。即ち、「メディアＡの容量が足りないため、メディアＢに切り替えました」と表示することで、ユーザーは第二の動画像記録媒体に切り替わったことを知ることが可能となる。それと同時に選択メディア表示部３０１もメディアＡからメディアＢに切り替わる。また、記録状態表示部３０５は表示を変更することで記録状態が記録待機状態から一時記録状態になったことをユーザーに知らせる。
【００３９】
図３（ｅ）は、ステップＳ２１１で何れの記録媒体の空き容量も閾値容量より小さい場合に表示される警告表示画面３１１の例を示している。「メディアＡの容量が足りません。メディアＢに切り替えられません」と表示することで、ユーザーは現在の動画像記録媒体には動画像データを記録できないことを知ることが可能となる。
【００４０】
ステップＳ２１３では、入力部１０７から記録開始の指示があったかを判別する。記録開始の指示があった場合はステップＳ２１３が肯定判定され、ステップＳ２１４へ進む。記録開始の指示がなかった場合はステップＳ２１３が否定判定され、ステップＳ２０６へ進む。
【００４１】
ステップＳ２１４では、第一の記録媒体制御部１１３または第二の記録媒体制御部１１４が動画像一時記憶部１１１に蓄積されている動画像データを読み出し、第一の動画像記録媒体１０５または第二の動画像記録媒体１０６に書き込む。また、像信号制御部１０４から送られる映像信号に対する制御も行う。ステップＳ２１５では、入力部１０７から記録停止の指示があったかを判別する。記録停止の指示があった場合はステップＳ２１５が肯定判定され、ステップＳ２１６へ進む。記録停止の指示がなかった場合はステップＳ２１５が否定判定され、ステップＳ２１５へ進む。ステップＳ２１６では、ステップＳ２１５の入力部１０７から記録停止の指示により各制御部で記録終了処理を行う。
【００４２】
図４（ａ）から図４（ｃ）は、一時記録が設定された場合に、各記録媒体に記録される動画を示す図である。図４（ａ）は、記録開始前の動画像一時記憶部１１１と第一の動画像記録媒体１０５、第二の動画像記録媒体１０６の関係を示した記録開始前の４００の例を示している。記録が開始されていないため、動画像一時記憶部１１１には動画像データが書き込まれていない。また、メディアＡにはすでに動画像データが記録されている状態のため、大部分が記録済み領域になっている。
【００４３】
図４（ｂ）は、一時記録状態になった時の動画像一時記憶部１１１と動画像記憶媒体の関係を示した一時記憶状態の４０１の例を示している。動画像制御部１１０は一時記録モード３秒分の動画像データを繰り返し動画像一時記憶部１１１に書き込む。３秒以上経過した場合は古い動画像データから上書きされていく。また、メディアＡには３秒分の動画像データが入らないため、記録媒体制御部１１２は記録先をメディアＢに制御を切り替える処理を行う。このようにすることで動画像データがメディアＡとメディアＢに跨ってしまうことを軽減させることが可能となる。
【００４４】
図４（ｃ）は、一時記録状態から記録開始時に遷移した時の動画像一時記憶部１１１と動画像記憶媒体の関係を示した動画像記録開始の４０２の例を示している。記録開始の指示により動画像制御部１１０は一時記憶部に蓄積されている動画像データを読み出し、切り替えられた動画像記録媒体であるメディアＢに書き込む。また、動画像データの記録は継続されているため、動画像一時記憶部１１１に対する書き込みや読み出しを行う。
【００４５】
＜第２の実施形態＞
図５は、第２の実施形態における記録装置５００を示すブロック図である。図１に示す記録装置と同一部分には同一番号を付し、重複部分の詳細説明を省略する。第三の記録媒体制御部５０２は、動画像制御部１１０からの指示により動画像データを第三の動画像記録媒体５０１から読み出すことが可能である。第三の動画像記録媒体５０１は、第三の記録媒体制御部５０２から受けた指示により動画像の読み出しを行う。
【００４６】
本発明の実施形態による記録装置５００の一時記録開始後に記録開始の指示が行われ、記録媒体の記録可能容量により必要に応じて記録媒体の切り替えを行う場合の処理について図６のフローチャートを参照して説明する。
【００４７】
ステップＳ６０１では、一時記録時に使用する動画像データの閾値容量が、選択されている記録媒体の空き容量より大きいか判別する。条件に合致した場合はステップＳ６０１が肯定判定され、ステップＳ６０２へ進む。条件に合致しなかった場合はステップＳ６０１が否定判定され、ステップＳ２１４へ進む。ステップＳ６０１では、記録媒体制御部１１２は最も空き容量が大きい記録媒体に切り替えるために記録媒体制御部に対して指示を送る。
【００４８】
図７（ａ）は、ステップＳ６０２で記録媒体制御部１１２が記録媒体の切り替えを行う場合の記録媒体切り替え画面７００の例を示している。「メディアＡの容量が足りないため、メディアＣに切り替えました」と表示することで、ユーザーは第三の動画像記録媒体５０１に切り替わったことを知ることが可能となる。それと同時に選択メディア表示部３０１もメディアＡからメディアＣに切り替わる。また、記録状態表示部３０５は表示を変更することで記録状態が一時記録状態または記録待機状態から記録状態になったことをユーザーに知らせる。
【００４９】
図７（ｂ）は、ステップＳ２１１で動画像データ量の閾値より空き容量が大きい記録媒体が存在せずにステップＳ２０４で警告表示を行う場合の警告表示画面７０１の例を示している。「メディアＡの容量が足りません。別のメディアに切り替えられません」と表示することで、ユーザーは現在の動画像記録媒体には動画像データを記録できないことを知ることが可能となる。
【符号の説明】
【００５０】
１００  記録装置、１０１  システム制御部、１０２  撮像部、１０３  撮像素子部、
１０４  撮像信号制御部、１０５  第一の動画像記録媒体、
１０６  第二の動画像記録媒体、１０７  入力部、１０８  表示用データ記憶部、
１０９  表示部
【図１】
2016015653.tif 000003
【図２】
2016015653.tif 000004
【図３】
2016015653.tif 000005
【図４】
2016015653.tif 000006
【図５】
2016015653.tif 000007
【図６】
2016015653.tif 000008
【図７】
2016015653.tif 000009